(57)【要約】【課題】  現在の容器内容物が予定内容物と合致しているか否かを自動的に比較／照合し、比較／照合結果を出力するためのシステムを提供すること。【解決手段】  容器内容物照合システム１００は、無線受信部１５０と処理部１１０と出力部１６０を含み、前記無線受信部１５０は、容器内に入れる物に装着された無線送信機より送信される前記物のＩＤ情報を無線で受信し、前記処理部１１０は、前記受信したＩＤ情報に基づき現在の内容物情報である現在内容物情報を把握し、現在内容物情報と予定内容物情報と比較／照合する処理を行う比較／照合処理部を含み、前記出力部１６０は、比較／照合結果を出力する。【選択図】        図３
2005132515.tif 000002
【特許請求の範囲】
【請求項１】
無線受信部と処理部と出力部を含む容器内容物照合システムであって、
前記無線受信部は、
容器内に入れる物に装着された無線送信機より送信される前記物のＩＤ情報を無線で受信し、
前記処理部は、
前記受信したＩＤ情報に基づき現在の内容物情報である現在内容物情報を把握し、現在内容物情報と予定内容物情報と比較／照合する処理を行う比較／照合処理部を含み、
前記出力部は、
比較／照合結果を出力することを特徴とする容器内容物照合システム。
【請求項２】
請求項１において、
前記出力部は、
出力された結果を表示する比較／照合結果表示部として形成されていることを特徴とする容器内容物照合システム。
【請求項３】
請求項１乃至２のいずれかにおいて、
容器内に入れる物に装着された無線送信機から発信された無線電波が容器外に漏れないようにシールドされている容器を用いることを特徴とする容器内容物照合システム。
【請求項４】
請求項１乃至３のいずれかにおいて、
前記無線受信部は、
容器内で発信された無線電波を受信するためのアンテナを含み、当該アンテナが容器外で発信された無線電波を受信しないように構成されていることを特徴とする容器内容物照合システム。
【請求項５】
請求項１乃至４のいずれかにおいて、
前記無線受信部は、
他のコンピュータから送信された予定内容物情報を無線で受信し、
前記比較／照合処理部は、
受信した予定内容物情報に基づき比較／照合処理を行うことを特徴とする容器内容物照合システム。
【請求項６】
請求項１乃至５のいずれかにおいて、
内部時計と、
所定のタイミング又は所定の要件で切り替わる予定内容物のスケジュール情報を記憶する予定内容物スケジュール情報記憶部とを含み、
前記比較／照合処理部は、
内部時計から取得した時計情報に基づき前記所定のタイミング又は所定の要件に該当するか否か判断し、該当する所定のタイミング又は所定の要件に対応した予定内容物情報を予定内容物スケジュール情報記憶部から読み出して、読み出した予定内容物情報に基づき比較／照合処理を行うことを特徴とする容器内容物照合システム。
【請求項７】
請求項１乃至６のいずれかにおいて、
予定内容物変更指示入力を受け付ける変更指示入力受付部と、
所定のタイミング又は所定の要件で切り替わる予定内容物のスケジュール情報を記憶する予定内容物スケジュール情報記憶部とを含み、
前記比較／照合処理部は、
前記予定内容物変更指示入力がなされたタイミングで、予定内容物スケジュール情報に基づいて、比較／照合処理に用いる予定内容物情報の切り替えを行うことを特徴とする容器内容物照合システム。
【請求項８】
容器内容物照合方法であって、
容器内に入れる物に当該物のＩＤ情報を無線で送信可能な無線送信機を装着し、
無線受信部と処理部を含む容器内容物照合装置を容器に装着し、
前記容器内容物照合装置が、容器内に入れる物に付加された無線送信機より送信される前記物のＩＤ情報を無線で受信し、前記受信したＩＤ情報に基づき現在の内容物情報である現在内容物情報を把握し、現在内容物情報と予定内容物情報と比較／照合する処理を行い、
比較／照合結果を出力部に出力することを特徴とする容器内容物照合方法。
【発明の詳細な説明】
【技術分野】
【０００１】
本発明は、容器内容物照合システム及び方法に関する。
【背景技術】
【０００２】
従来は、現在の容器内容物と予定内容物を自動的にチェック／表示するためのシステムはなく、人が目でみて容器の内容物が予定内容物と合致しているかどうかをチェックしていた。
【０００３】
しかし例えば人がチェックすると手間がかかりチェック漏れが発生することも多かった。
【０００４】
また工場や商品配送過程等のロジスティックで現在容器（箱等）にはいっている商品や部品やサンプル等が予定内容物と合致しているかどうかをチェックする場合には、人手で行うと時間やコスト等がかかりチェック漏れの防止が困難であった。
【特許文献１】特開２００１−１９９５１１号公報
【特許文献２】特開平９−６２９３４号公報
【発明の開示】
【発明が解決しようとする課題】
【０００５】
本発明は、以上のような技術的課題に鑑みてなされたものであり、その目的とするところは、現在の容器内容物が予定内容物と合致しているか否かを自動的に比較／照合し、比較／照合結果を出力するためのシステムを提供することにある。
【課題を解決するための手段】
【０００６】
（１）本発明は、
無線受信部と処理部と出力部を含む容器内容物照合システムであって、
前記無線受信部は、
容器内に入れる物に装着された無線送信機より送信される前記物のＩＤ情報を無線で受信し、
前記処理部は、
前記受信したＩＤ情報に基づき現在の内容物情報である現在内容物情報を把握し、現在内容物情報と予定内容物情報と比較／照合する処理を行う比較／照合処理部を含み、
前記出力部は、
比較／照合結果を出力することを特徴とする。
【０００７】
ここにおいて、容器にいれるものとは例えば商品や製品やサンプル品等でもよいし、例えば鞄に入れるもの等の本や文房具や私物や日曜品等でもよい。
【０００８】
また容器とは例えば商品や製品やサンプル品等を入れる箱やケースや倉庫等でもよいし、例えば鞄やスーツケース等でもよい。
【０００９】
また無線送信機とは例えば無線タグやＲＦタグ等でもよい。
【００１０】
また前記受信したＩＤ情報に基づき得られた現在内容物情報を一旦記憶部に格納し、格納された現在内容物情報を読み出して比較／照合処理部をおこなうようにしてもよい。
【００１１】
物のＩＤ情報は、物を識別するためのＩＤ情報であり、特定物の場合には例えば当該物に対して一義的に与えられたＩＤ情報であり、不特定物の場合には例えば物の種類に対応して与えられたＩＤ情報でもよいし、当該物に対して一義的に与えられたＩＤ情報でもよい。
【００１２】
予定内容物情報は、何らかの形式で記憶部に記憶されている。記憶部に記憶されている予定内容物情報を読み出して現在内容物情報と比較／照合する構成でもよい。この場合予定内容物は、初期設定において記憶させておくようにしてもよいし、比較／照合処理部の前に何らかの方法（例えばホストコンピュータから受信して設定する場合や例えば入力により設定する場合）で設定するようにしてもよい。
【００１３】
また予定内容物がスケジュールに沿って変化する場合には、予定内容物スケジュール情報を記憶部に記憶しておいて、日時や曜日や場所やその他の情報によって予定内容物スケジュール情報から次の比較／照合処理に対応する予定内容物情報を選択する処理を行って選択された予定内容物情報を用いて比較／照合処理を行うようにしてもよい。
【００１４】
予定内容物情報とは、容器の中に入っていることが予定されている物の情報で、例えば、物に対応させたＩＤ情報でもよい。この場合容器内に入れる物に付加された無線送信機より送信される前記物のＩＤ情報と同じ形式（例えば同じコード体系）で設定するようにしてもよい。現在内容物情報と予定内容物情報を同じ形式で持たせる場合には、直接比較できるので便利である。
【００１５】
また予定内容物情報を現在内容物情報と異なる形式で持たせる場合には、現在内容物情報を、受信したＩＤ情報に基づき予定内容物情報と比較／照合可能な形式に変換してから比較／照合処理を行うようにしてもよい。
【００１６】
比較／照合結果出力部は例えば画像やテキスト等や音声等の外部のユーザーが認知可能な媒体で出力部（画像出力部や音声出力部）に出力する。
【００１７】
ここにおいて比較／照合結果とは、例えば複数の予定内容物がある場合個々の予定内容物について比較／照合結果を個別に結果出力する場合でもよいし、複数の予定内容物が全部揃ったか否かについての結果出力する場合でもよし、両方について行う場合でもよい。
【００１８】
本発明によれば、容器内容物が予定内容物と合致しているか否かを自動的に比較／照合し、比較／照合結果を出力可能な容器内容物照合システムを提供することができる。
【００１９】
（２）本発明の容器内容物照合システムは、
前記出力部が、
出力された結果を表示する比較／照合結果表示部として形成されていることを特徴とする。
【００２０】
例えば各容器毎の比較／照合結果を出力するための表示モジュール（ＬＣＤパネルやCRT、LED等）を設けるようにしてもよい。この場合表示モジュールを容器の一部に取り付ける形式でもよいし、他の場所に設ける場合でもよい。
【００２１】
（３）本発明の容器内容物照合システムは、
容器内に入れる物に装着された無線送信機から発信された無線電波が容器外に漏れないようにシールドされている容器を用いることを特徴とする。
【００２２】
例えば容器の内壁又は外壁または壁の中に電波をシールドできる材質（金属メッシュ等）にすることで、電波が外部に漏れないようにシールドするようにしてもよい。
【００２３】
このようにすると、例えば複数の本システムの容器が隣接して配置されている場合に、他の容器の内容物からの電波による誤動作を防止することができる。
【００２４】
（４）本発明の容器内容物照合システムは、
前記無線受信部が、
容器内で発信された無線電波を受信するためのアンテナを含み、当該アンテナが容器外で発信された無線電波を受信しないように構成されていることを特徴とする。
【００２５】
例えばアンテナを容器内部にむけたり、容器内部にむけアンテナを露出し、外部に対してはシールド状態にすることにより実現することができる。
【００２６】
（５）本発明の容器内容物照合システムは、
前記無線受信部が、
他のコンピュータから送信された予定内容物情報を無線で受信し、
前記比較／照合処理部は、
受信した予定内容物情報に基づき比較／照合処理を行うことを特徴とする。
【００２７】
本発明は、他のコンピュータから受信した次回予定内容物情報に基づき比較／照合処理を行う際の予定内容物情報を変更／更新することができる。
【００２８】
例えば受信した予定内容物情報と現在内容物情報と直接を比較／照合処理を行う場合でもよいし、受信した予定内容物情報に基づき予定内容物情報を変更／更新して、変更／更新後の予定内容物情報に基づき比較／照合処理をおこなうようにしてもよい。
【００２９】
本発明によれば、所定の要件又は所定のタイミングで予定内容物が変化する場合にも容易に対応可能であり、汎用性の高い容器内容物照合システムを提供することができる。
【００３０】
（６）本発明の容器内容物照合システムは、
内部時計と、
所定のタイミング又は所定の要件で切り替わる予定内容物のスケジュール情報を記憶する予定内容物スケジュール情報記憶部とを含み、
前記比較／照合処理部は、
内部時計から取得した時計情報に基づき前記所定のタイミング又は所定の要件に該当するか否か判断し、該当する所定のタイミング又は所定の要件に対応した予定内容物情報を予定内容物スケジュール情報記憶部から読み出して、読み出した予定内容物情報に基づき比較／照合処理を行うことを特徴とする。
【００３１】
ここにおいて所定のタイミングとは、日付又は時刻又は曜日等の切り替わるタイミングでもよいし、現在位置や場所やエリア等が変化するタイミングでもよい。
【００３２】
また時計情報とは日付や時間や曜日等に関する情報である。
【００３３】
例えば予定内容物の変化が曜日や月や時刻等の変化要因にもとづく場合には、これらの変化要因の変化要素と予定内容物情報を対応づけて予定内容物スケジュール情報記憶部に記憶させておく。
【００３４】
そして内部時計により得られた時計情報により該当する変化要因の変化要素を求め、変化要素に対応する予定内容物情報を予定内容物スケジュール情報記憶部から読み出す。
【００３５】
例えば曜日によって予定内容物情報が変化する場合には、変化要因は曜日であり、変化要素は、月、火、水、木、金等の各曜日である。そして変化要素に対応する予定内容物情報とは、例えば月の予定内容物、火の予定内容物・・・等である。
【００３６】
本発明によれば内部時計と、予め記憶された予定内容物スケジュール情報にもとづき、システムが自動的に予定内容物を決定して比較／照合を行うためホスト等と送信をする必要がない。
【００３７】
（７）本発明の容器内容物照合システムは、
予定内容物変更指示入力を受け付ける入力受付部と、
所定のタイミング又は所定の要件で切り替わる予定内容物スケジュール情報を記憶する予定内容物スケジュール情報記憶部とを含み、
前記比較／照合処理部は、
前記予定内容物変更指示入力がなされたタイミングで、前記予定内容物スケジュール情報に基づいて、比較／照合処理に用いる予定内容物情報の切り替えを行うことを特徴とする。
【００３８】
本発明によれば、比較／照合処理に用いる予定内容物情報の切り替えのタイミングを外部入力により指定することができる。
【００３９】
従って予定内容物の切り替え内容は予め決まっているが、切り替えのタイミングの判断を自動的に行うことが困難な場合にも適用可能である。
【００４０】
（８）本発明は、
容器内容物照合方法であって、
容器内に入れる物に当該物のＩＤ情報を無線で送信可能な無線送信機を装着し、
無線受信部と処理部を含む容器内容物照合装置を容器に装着し、
前記容器内容物照合装置が、容器内に入れる物に付加された無線送信機より送信される前記物のＩＤ情報を無線で受信し、前記受信したＩＤ情報に基づき現在の内容物情報である現在内容物情報を把握し、現在内容物情報と予定内容物情報と比較／照合する処理を行い、
比較／照合結果を出力部に出力することを特徴とする。
【発明を実施するための最良の形態】
【００４１】
以下、本発明の好適な実施の形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００４２】
図１は本実施の形態の容器内容物照合システムの機能ブロック図である。
【００４３】
本実施の形態の容器内容物照合システム１００は、処理部１１０と、内部時計１４０，通信部１５０と、表示部１６０と、情報記憶媒体１７０と、記憶部１８０と入力部１９０、アンテナ１５２とを含む。
【００４４】
処理部１１０は、容器内容物照合システムの動作を統括的にコントロールする処理等を行うものであり、その機能は、各種プロセッサ（ＣＰＵ等）、或いはＡＳＩＣ（ゲートアレイ等）などのハードウェアや、所与のプログラム（マイクロプログラム等）により実現できる。
【００４５】
処理部１１０は、前記処理部は、通信部が受信した容器内に入れる物に装着された無線送信機より送信される前記物のＩＤ情報に基づき現在の内容物情報である現在内容物情報を把握し、現在内容物情報と予定内容物情報と比較／照合する処理を行う比較／照合処理部として機能する。
【００４６】
また処理部１１０は、受信した予定内容物情報に基づき比較／照合処理を行うようにしてもよい。
【００４７】
処理部１１０は、内部時計１４０から取得した時計情報に基づき前記所定のタイミング又は所定の要件に該当するか否か判断し、該当する所定のタイミング又は所定の要件に対応した予定内容物情報を予定内容物スケジュール情報記憶部から読み出して、読み出した予定内容物情報に基づき比較／照合処理を行うようにしてもよい。
【００４８】
処理部１１０は、予定内容物変更指示入力がなされたタイミングで、予定内容物スケジュール情報に基づいて、比較／照合処理に用いる予定内容物情報の切り替えを行うようにしてもよい。
【００４９】
内部時計１４０は、システム内部に日付や時刻等の時計情報を供給する処理を行うもので、例えばＲＴＣ（リアルタイムクロック）やクロックジェネレータや等で実現することもできる。
【００５０】
通信部１５０は、内容物に装着されたＲＦタグや無線タグ、ホストコンピュータ等の他のコンピュータから送信されたデータを受信するための受信機能を有する。また他のコンピュータや無線タグやＲＦタグに対してデータを送信するための送信機能を有するようにしてもよい。
【００５１】
通信部１５０は、例えば処理部（ＣＰＵ）１１０からのコマンドに従って外部と無線通信をおこなう機能モジュールであり、信号の送受信を司るベースバンドブロックや所定のＲＦ周波数信号をアンテナ１５２を介して送信するＲＦブロック等を備えるようにしてもよい。また例えばＦＰＧＡ（Field  Programmable  Gate  Array）のようなＩＣ完成後にユーザーが内部論理をプログラムにより変更できる汎用のロジック・デバイスで構成することもできる。
【００５２】
通信部１５０は、容器内に入れる物に装着された無線送信機より送信される前記物のＩＤ情報を無線で受信する処理を行う。
【００５３】
通信部１５０は、他のコンピュータから送信された予定内容物情報を無線で受信する処理を行うようにしてもよい。
【００５４】
アンテナ１５２は半波長のダイポールアンテナ等を使用するようにしてもよい。
【００５５】
情報記憶媒体（コンピュータにより使用可能な記憶媒体）１７０は、プログラムやデータなどの情報を格納するものであり、その機能は、光ディスク（ＣＤ、ＤＶＤ）、光磁気ディスク（ＭＯ）、磁気ディスク、ハードディスク、或いはＲＯＭや例えばＥＥＰＲＯＭ（Electrically Erasable and Programmable ROM）のような書き込み可能な不揮発性メモリ装置等のハードウェアにより実現できる。
【００５６】
情報記憶媒体１７０は、所定のタイミング又は所定の要件で切り替わる予定内容物のスケジュール情報を記憶する予定内容物スケジュール情報記憶部として機能する。
【００５７】
記憶部１８０は、処理部１２０（又は無線送信部１１０やデータ検出部１５０）などのワーク領域となるもので、ＲＡＭなどのハードウェアにより実現できる。
【００５８】
入力部は、例えばスイッチやボタンやキーボードを介して外部入力を受け付けるように構成され、予定内容物変更指示入力を受け付ける変更指示入力受付部として機能する。
【００５９】
表示部１６０は、本実施形態により生成された比較・照合結果を表示するものであり、その機能は、ＣＲＴ、ＬＣＤなどのハードウェアにより実現できる。
【００６０】
入力部１９０は、ユーザーがデータや指示入力を行うためのものであり、その機能は、ボタンやキーボード等のハードウェアにより実現でき、予定内容物変更指示入力受付部として機能する。
【００６１】
図２（Ａ）は、本実施の形態の容器内容物照合システムを実現するための容器の容器の外観図であり、図２（Ｂ）は断面図を示している。
【００６２】
２００は本実施の形態の容器であり、容器内部の電波がシールドできる材質で構成されている。例えば容器２００の内壁又は外壁や壁の内装に鉄等の金属メッシュ上に張り巡らせて、容器内に入れる物に装着された無線機（ＲＦタグや無線タグ）の発信する無線電波が容器外に漏れないようにシールドするようにしてもよい。
【００６３】
また２１０は容器内容物照合システムを実現するための容器内容物照合装置である。容器内容物照合装置２１０は、アンテナ２２０，表示モジュール（ＬＣＤパネルとCRT、LED等）２３０、システムＩＣ２４０を含む。
【００６４】
ここで容器２００内の無線機（ＲＦタグや無線タグ）から発信した無線電波を受信し、容器外で発信された無線電波を受信しないようにするために、容器内で発信された無線電波を受信するためのアンテナ２２０を容器の内部に向ける又は、容器の内側にのみ露出させて、容器の外側に対しては電気的にシールドするようにしてもよい。
【００６５】
図３は本実施の形態の容器内容物照合システムの一例について説明するための図である。
【００６６】
同図は本実施の形態の容器内容物照合システムを鞄（例えばランドセル等）１０に適用した例を示している。
【００６７】
鞄１０にいれる内容物である教科書やノート（内容物１（５０−１）、内容物２（５０−２）には、当該内容物のＩＤを発信するためのＲＦタグ５２−１、５２−２が取り付けられている。
【００６８】
そして本実施の形態の容器内容物照合システムの容器に該当する鞄１０には、容器内容物照合装置２０が取り付けられている。容器内容物照合装置２０はＲＦタグ５２−１、５２−２からのタグ情報（内容物のＩＤ情報）を受信し、受信したタグ情報（内容物のＩＤ情報）に基づき現在の内容物を予定内容物と比較／照合する処理を行うＩＣチップ３２と、比較／照合結果を表示するＬＣＤパネル３４を含んでいる。
【００６９】
比較／照合結果の表示として、ＬＣＤパネル３４において、個々の予定内容物について入っているかどうかの個別表示（各教科の本とノートについて個別に在庫しているか否か表示（例えば在庫している場合にはＯＫ、していない場合にはＮＧ）３６と、複数の予定内容物が全部揃ったか否かについての総合結果表示（例えばすべて揃っている場合にはＯＫ）３８の両方を行うようにしてもよいし、どちらか一方をおこなうようにしてもよい。
【００７０】
本実施の形態によれば、ユーザーが教科書やノートや文房具等（内容物１（５０−１）、内容物２（５０−２）を鞄の中にいれると、鞄の中の内容物が予定内容物と一致しているかどうがＬＣＤパネルに表示されるので、鞄の中の確認が自動的におこなえるようになる。
【００７１】
ここにおいて予定内容物にかんする情報は、所定の方法で内容物の照合処理を行う前までに、システム内部メモリ等に記憶させておく。
【００７２】
例えば使用前の初期設定を行う際にホストコンピュータにおいて設定された時間割情報（所定のタイミング又は所定の要件で切り替わる予定内容物のスケジュール情報）を送信することで内部メモリに記憶させるようにしてもよい。
【００７３】
この場合例えばシステムが、内部時計から得られた日付や時刻等から曜日情報を演算し、当該曜日情報に基づいて時間割情報（予定内容物スケジュール情報）から対応する予定内容物（今日の時間割に対応した予定内容物）を読み出して、当該予定内容物情報に基づいて比較／照合処理を行うようにしてもよい。
【００７４】
また例えば比較／照合処理を行う前に、次の比較／照合処理に必要な予定内容物の情報をホストコンピュータから受信するようにしてもよい。すなわち所定のタイミングで、ＩＣチップがホストコンピュータから受信した情報（取得した情報）に基づき次の照合処理をおこなうようにしてもよい。
【００７５】
また例えば時間割のように所定のスケジュールにそって次の照合処理に必要な予定内容物が変化するような場合には、予定内容物を切り替えるタイミングをユーザーが入力できるようにしてもよい。
【００７６】
この場合は、予定内容物変更指示入力がなされたタイミングで、予定内容物スケジュール情報に基づいて、比較／照合処理に用いる予定内容物情報の切り替えを行うようにしてもよい。
【００７７】
図４は本実施の形態の予定内容物スケジュール情報の一例について説明するための図である。
【００７８】
ここでは予定内容物スケジュール情報４００として、予定内容物が曜日によって変化する時間割情報を例にとり説明する。
【００７９】
予定内容物スケジュール情報記憶部には、変化の要因となる変化要素である月、火、水、木、金等の各曜日に関連づけて当該曜日の予定内容物情報が記憶されている。
【００８０】
例えば４１０に示すように「月」曜日に関連づけて、月曜日の時間割（月曜日の予定内容物情報）Ａ、Ｂ、Ｃ、Ｃ、Ｄが記憶され、「火」曜日に関連づけて、火曜日の時間割（火曜日の予定内容物情報）Ｅ、Ａ、Ｂ、Ｆ、Ｆが記憶され、・・・・「金」曜日に関連づけて、金曜日の時間割（金曜日の予定内容物情報）Ｈ、Ｄ、Ｂ、Ｃが記憶されている。
【００８１】
ここで内部時計により得られた時計情報により該当する変化要因の変化要素を求め、変化要素に対応する予定内容物情報を予定内容物スケジュール情報記憶部から読み出す。
【００８２】
例えば時計情報により得られた日付により本日が「火」曜日であることをシステムが認知した場合には、本日の予定内容物情報として「火」曜日に対応して記憶されている予定内容物情報Ｅ、Ａ、Ｂ、Ｆ、Ｆを設定する。
【００８３】
このように内部時計と、予め記憶された予定内容物スケジュール情報にもとづき、システムが自動的に予定内容物を決定して比較／照合を行う場合にはホスト等と送信をする必要がない。
【００８４】
なお、予定内容物情報がＡ〜Ｈが例えば教科に対応付けられている場合、容器の内容物の無線タグ等が発信するＩＤ情報も教科に対応づけておくようにしてもよい。ここで、例えば予定内容物として各教科について複数の内容物（例えば教科書とノート等）が必要な場合には、予定内容物情報自体をＡ教科の教科書とＡ教科のノートというように分けて設定しておいてもよいし、予定内容物情報自体は教科のみ記憶させておいて、実際に比較／照合する場合に教科書とノートの両方について比較／照合するようにしてもよい。
【００８５】
図５は本実施の形態の容器内容物照合システムの他の一例について説明するための図である。
【００８６】
同図は本実施の形態の容器内容物照合システムをロジスティック（例えば配送ラインや生産ライン等）に適用した例を示している。
【００８７】
容器（箱等）３１０にいれる内容物３５０である製品や商品、部品、サンプル品には、当該内容物のＩＤを発信するためのＲＦタグ（ＲＦ−ＩＤ）３５２が取り付けられている。
【００８８】
そして本実施の形態の容器内容物照合システムの容器に該当する箱には、容器内容物照合装置３２０が取り付けられている。容器内容物照合装置３２０はＲＦタグからのＩＤ情報を受信し、受信したＩＤ情報に基づき現在の内容物を予定内容物と照合する処理を行うＩＣチップと、照合結果を表示するＬＣＤパネルを含んでいる。
【００８９】
３１０−１〜３１０−４はロジスティックラインの各段階における容器（箱等）の状態を表しており、３２０−１〜３２０−４はロジスティックラインの各段階における容器内容物照合装置３２０の表示部の状態を表している。
【００９０】
３１０−１は、内容物が入れられる前の段階における容器（箱等）を示しており、この段階では容器内容物照合装置の表示部３２０−１には何も表示されていない。照合処理の前に次の照合処理に必要な内容物の情報を外部から受け取る形式（例えばホストコンピュータから受信する）の場合には、次の照合処理に必要な予定内容物の情報を内部メモリに有していなくてもよい。
【００９１】
３１０−２は、次の照合処理に必要な予定内容物の情報を、ホストコンピュータ３４０から受信した段階における容器（箱等）を示している。この段階で、次の照合処理に必要な予定内容物の情報が内部メモリに書き込まれる。また容器内容物照合装置の表示部３２０−２には、次の照合処理における予定内容物の情報が表示される。
【００９２】
３１０−３は、ＲＦタグ付きの内容物を容器（箱）の中にいれた段階における容器（箱等）を示している。ここで容器の中に入った内容物から発信されるＩＤ情報を受信すると、受信したＩＤ情報と予定内容物の情報とを比較照合する。そして照合結果を容器内容物照合装置の表示部に表示する。例えば予定内容物の１つであるサンプルＡ（３５０）が容器（箱）にはいったので、表示部にサンプルＡが在庫である旨の表示（ここでは予定在庫として表示されている「サンプルＡ」の色が変わることでサンプルＡが在庫であることを示している）がなされている。
【００９３】
３１０−５は、予定内容物がすべて揃った段階における容器（箱等）を示している。予定内容物がすべて在庫された状態になると、３１６に示すように表示部にその旨を示す表示を行うようにしてもい。
【００９４】
本実施の形態によれば、ロジスティックラインにおいて内容物３５０が容器（箱等）の中にはいると、容器（箱等）中の内容物が予定内容物と一致しているかどうがＬＣＤパネルに表示されるので、容器（箱等）の中の確認が自動的におこなえるようになる。
【００９５】
ここにおいて予定内容物にかんする情報は、所与の方法で内容物の比較／照合処理を行う前までに、容器内容物照合装置３１０の内部メモリ等に記憶させておく。
【００９６】
例えば予定内容物が一定である場合には、初期設定を行う際にホストコンピュータから一定の予定内容物に関する情報を送信するようにしてもよい。
【００９７】
また予定内容物が、所定のスケジュールで切り替わる場合には、予定内容物スケジュール情報を送信して内部メモリに記憶させるようにしてもよい。
【００９８】
この場合例えばシステムが、内部時計から得られた日付や時刻等から曜日情報を演算し、当該曜日情報に基づいて時間割情報（予定内容物スケジュール情報）から対応する予定内容物（今日の時間割に対応した予定内容物）を読み出して、当該予定内容物情報に基づいて比較／照合処理を行うようにしてもよい。
【００９９】
また例えば比較／照合処理を行う前に、次の比較／照合処理に必要な予定内容物の情報をホストコンピュータから受信するようにしてもよい。すなわち所定のタイミングで、ＩＣチップがホストコンピュータから受信した情報（取得した情報）に基づき次の照合処理をおこなうようにしてもよい。
【０１００】
また例えば、複数の場所に配送する場合や複数の場所から収集する場合には、当該場所ごとに予定内容物が変化する。かかる場合には、ユーザーが外部入力により予定内容物を切り替えるタイミングを指示できるようにしてもよい。
【０１０１】
このようにすると例えば当該場所についたタイミングでユーザーが切り替えタイミング指示入力を行うことで、次の照合処理に必要な予定内容物の情報を切り替えることができるので、例えば切り替えるタイミングが自動的に判断できない場合でも本システムを適用可能である。
【０１０２】
図６は、本実施の形態の容器内容物照合システムの処理の一例に関するフローチャート図である。
【０１０３】
ここでは、容器内容物照合システムが内部時計と予め記憶している予定内物スケジュール（曜日によって予定内容物が変わる場合）に基づき次の予定内容物を決定する場合の処理の流れについて説明する。
【０１０４】
まず内部時計から日時情報を取得する（ステップＳ１０）。
【０１０５】
次に取得した日時情報に基づき曜日を演算する（ステップＳ２０）。
【０１０６】
次に演算された曜日の予定内容物情報を、予定内容物情報記憶部から読み出す（ステップＳ３０）。
【０１０７】
次に内容物に付加されたＲＦＩＤに付加されたタグ情報（ＩＤ情報）を受信して、現在の内容物情報として記憶部に記憶させる（ステップＳ４０）。
【０１０８】
記憶部に記憶されている予定内容物情報と現在の内容物情報を読み出して、両者を比較／照合する（ステップＳ５０）。
【０１０９】
次に比較／照合結果を表示部に出力する（ステップＳ６０）。
【０１１０】
図７は、本実施の形態の容器内容物照合システムの処理の他の一例に関するフローチャート図である。
【０１１１】
ここでは、次の予定内容物の情報をホストコンピュータから受信する場合の処理の流れについて説明する。
【０１１２】
次の予定内容物の情報をホストコンピュータから受信する（ステップＳ１１０）。
【０１１３】
次に受信した予定内容物の情報を記憶部に記憶させる（ステップＳ１２０）。
【０１１４】
次に内容物に付加されたＲＦＩＤに付加されたタグ情報（ＩＤ情報）を受信して、現在の内容物情報として記憶部に記憶させる（ステップＳ１３０）。
【０１１５】
記憶部に記憶されている予定内容物情報と現在の内容物情報を読み出して、両者を比較／照合する（ステップＳ１４０）。
【０１１６】
次に比較／照合結果を表示部に出力する（ステップＳ１５０）。
【０１１７】
なお、本発明は上述した実施の形態に限定されるものではなく、本発明の要旨の範囲内で種々の変形実施が可能である。
【０１１８】
また、本発明のうち従属請求項に係る発明においては、従属先の請求項の構成要件の一部を省略する構成とすることもできる。また、本発明の１の独立請求項に係る発明の要部を、他の独立請求項に従属させることもできる。
【図面の簡単な説明】
【０１１９】
【図１】図１は本実施の形態の容器内容物照合システムの機能ブロック図である。
【図２】図２（Ａ）は、本実施の形態の容器内容物照合システムを実現するための容器の容器の外観図であり、図２（Ｂ）は断面図を示している。
【図３】本実施の形態の容器内容物照合システムの一例について説明するための図である。
【図４】本実施の形態の予定内容物スケジュール情報の一例について説明するための図である。
【図５】本実施の形態の容器内容物照合システムの他の一例について説明するための図である。
【図６】本実施の形態の容器内容物照合システムの処理の一例に関するフローチャート図である。
【図７】図７は、本実施の形態の容器内容物照合システムの処理の他の一例に関するフローチャート図である。
【符号の説明】
【０１２０】
１０  鞄、２０  容器内容物照合装置、３２  ＩＣチップ、３４  ＬＣＤパネル、
４０  ホストコンピュータ、５０−１  内容物１，５０−２  内容物２、５２−１  ＲＦタグ１、５２−２  ＲＦタグ２、１００  容器内容物照合システム、１１０  処理部、  １４０  内部時計、  １５０  通信部、  １５２  アンテナ、１６０  表示部、１７０  情報記憶媒体、１８０  記憶部、１９０  入力部
【図１】
2005132515.tif 000003
【図２】
2005132515.tif 000004
【図３】
2005132515.tif 000005
【図４】
2005132515.tif 000006
【図５】
2005132515.tif 000007
【図６】
2005132515.tif 000008
【図７】
2005132515.tif 000009